(57)【特許請求の範囲】
【請求項１】
帯状の線材をその幅方向に曲げる線材の曲げ加工装置であって、
複数の前記線材が厚み方向に積層された積層線材の曲げ方向内側面に当接する曲面を有する当接部材と、
前記当接部材から離間した位置で前記積層線材の曲げ方向外側面に当接し、前記曲面の曲率中心軸線回りに移動することにより、前記積層線材に曲げ荷重を付与して該積層線材を前記曲面に沿って曲げる曲げ部材と、
前記積層線材の曲げ方向外側面に圧接して前記曲げ部材に連動し、前記当接部材に向かう押圧力を前記積層線材に付与しながら、前記積層線材の曲げ量の進行に追従して前記曲面の曲率中心軸線回りの前記曲げ部材より内側の軌道を移動することにより、前記当接部材の曲面と前記積層線材の曲げ方向内側面との間に摩擦力を発生させた状態を維持させる圧接部材とを備えることを特徴とする線材の曲げ加工装置。
【請求項２】
請求項１記載の線材の曲げ加工装置において、
前記当接部材は、前記曲面と前記積層線材の曲げ方向内側面との間の摩擦力が大となる材料により形成されていることを特徴とする線材の曲げ加工装置。
【請求項３】
請求項１又は２記載の線材の曲げ加工装置において、
前記当接部材の前記曲面に、該曲面と前記積層線材の曲げ方向内側面との間の摩擦力を大とすべく粗面加工が施されていることを特徴とする線材の曲げ加工装置。
【請求項４】
請求項１〜３の何れか１項記載の線材の曲げ加工装置において、
前記曲げ部材は、前記積層線材の曲げ方向外側面に当接する当接面と、該積層線材の積層方向両側面に当接して前記積層線材の積層方向への移動を規制する一対の規制壁とを備えることを特徴とする線材の曲げ加工装置。
【請求項５】
帯状の線材をその幅方向に曲げる線材の曲げ加工方法であって、
複数の前記線材が厚み方向に積層された積層線材の曲げ方向内側面に、当接部材に形成された曲げ方向に沿った曲面を当接させると共に、積層線材の曲げ方向外側面に各線材の幅方向に押圧力を付与する圧接部材を圧接させる圧接工程と、
該圧接工程の後に、前記当接部材から離間した位置で前記積層線材の曲げ方向外側に曲げ部材を当接して前記曲面の曲率中心軸線回りに移動させることにより、前記積層線材を前記曲面に沿って曲げる曲げ部材移動工程と、
該曲げ部材移動工程により前記積層線材の曲げ量が進行するとき、前記曲げ部材の移動に連動して前記当接部材に向かって前記積層線材の各線材の幅方向に押圧力を付与しながら圧接部材を移動させることにより、前記当接部材の曲面と前記積層線材の曲げ方向内側面との間に摩擦力を発生させた状態を維持させる圧接部材移動工程とを備えることを特徴とする線材の曲げ加工方法。
【発明の詳細な説明】
【技術分野】
【０００１】
本発明は、帯状の線材をその幅方向に曲げる線材の曲げ加工装置及び曲げ加工方法に関し、詳しくは、厚み方向に積層された複数の線材を同一方向に同時に曲げる線材の曲げ加工装置及び曲げ加工方法に関する。
【背景技術】
【０００２】
一般に、帯状の線材をその幅方向に曲げた場合には、線材の曲げ方向の内側に厚み方向の膨らみが発生してしまい、曲げ部分における幅方向の厚みが均一にならない。特に、複数の線材を厚み方向に積層させた状態で全ての線材に同一方向の曲げ加工を施した場合には、上記の膨らみにより各線材間に隙間が形成されるので、各線材同士が密着した積層状態を維持することができないといった不都合がある。
【０００３】
従来、帯状の線材を幅方向に曲げる際に、曲げ方向の内側に発生する厚み方向の膨らみを抑えて曲げ加工を行う曲げ加工装置が知られている（特許文献１参照）。
【０００４】
この曲げ加工装置は、線材の曲げ方向内側に当接部材を配し、線材の曲げ方向外側に曲げ部材を配して、当接部材を支点として曲げ部材を回動させることにより帯状の線材を幅方向に曲げるものである。更に、当接部材には線材の厚み方向の一側面に当接する規制面が設けられ、曲げ部材には線材の厚み方向の他側面に当接する規制面が設けられている。そして、線材の厚み方向の両側に夫々規制面が当接している状態で、線材に曲げ加工が施されることにより、曲げ部分における線材の厚み方向の変形を防止するようになっている。
【０００５】
また、上記従来の装置では、線材の厚み方向の一側面に当接する規制面が当接部材側に設けられ、線材の厚み方向の他側面に当接する規制面が曲げ部材側に設けられている。そして、当接部材側の規制面を備える部材が線材の曲げ方向に直行する方向に移動可能に構成されており、当接部材と曲げ部材との間へ線材を供給する際に、当接部材側の規制面が線材から離反して線材の供給が円滑に行えるようになっている。
【先行技術文献】
【特許文献】
【０００６】
【特許文献１】特許第３９２０３１１号公報
【発明の概要】
【発明が解決しようとする課題】
【０００７】
しかし、上記従来の装置により、当接部材側の規制面と曲げ部材側の規制面とで線材をその厚み方向両側から拘束した状態で曲げ加工を行うと、曲げ部材の規制面が線材に圧接した状態であることにより、曲げ部材の移動が阻害されるおそれがある。このため、各規制面と線材との間にクリアランスを設ける必要があるが、このクリアランスによって線材の厚み方向への変形が許容されてしまい、線材における曲げ方向内側の膨らみを十分に抑制することができない。
【０００８】
更に、上記従来の装置では、一回の挙動で単一の線材の曲げ加工しか行えない。このため、複数の線材に曲げ加工を行うときには工数が増加する不都合がある。
【０００９】
上記の点に鑑み、本発明は、帯状の線材を幅方向に曲げる際に、線材の曲げ方向内側の厚み方向の膨らみの発生を抑えることができ、同時に複数の線材の曲げ加工を容易に行うことができる線材の曲げ加工装置及び曲げ加工方法を提供することを目的とする。
【課題を解決するための手段】
【００１０】
本発明は、帯状の線材をその幅方向に曲げる線材の曲げ加工装置であって、複数の前記線材が厚み方向に積層された積層線材の曲げ方向内側面に当接する曲面を有する当接部材と、前記当接部材から離間した位置で前記積層線材の曲げ方向外側面に当接し、前記曲面の曲率中心軸線回りに移動することにより、前記積層線材に曲げ荷重を付与して該積層線材を前記曲面に沿って曲げる曲げ部材と、前記積層線材の曲げ方向外側面に圧接して前記曲げ部材に連動し、前記当接部材に向かう押圧力を前記積層線材に付与しながら、前記積層線材の曲げ量の進行に追従して前記曲面の曲率中心軸線回りの前記曲げ部材より内側の軌道を移動することにより、前記当接部材の曲面と前記積層線材の曲げ方向内側面との間に摩擦力を発生させた状態を維持させる圧接部材とを備えることを特徴とする。
【００１１】
本発明の装置によれば、前記曲げ部材による積層線材の曲げ加工に際して、前記圧接部材が、前記当接部材の曲面と前記積層線材の曲げ方向内側面との間に摩擦力を発生させる。この摩擦力は、前記曲面に接した積層線材の曲げ方向内側面の厚み方向への膨らみ変形に対抗する力となって積層線材の曲げ方向内側面に作用する。
【００１２】
即ち、前記圧接部材は、当接部材に向かう押圧力を積層線材に付与する。このときの押圧力は、積層線材を構成する各線材の幅方向に作用するので、各線材の曲げ方向内側面が当接部材の曲面に強固に押し付けられた状態を形成する。そして、曲げ部材の移動に伴って積層線材が当接部材の曲面に沿って曲げられている最中にも、圧接部材が曲げ部材に連動して積層線材の曲げ量の進行に追従し、各線材の曲げ方向内側面が当接部材の曲面に強固に押し付けられた状態を維持して移動する。
【００１３】
各線材は積層された状態であっても、当接部材の曲面に接する個々の曲げ部分において独立して厚み方向に膨らむように変形しようとする。このとき、前記押圧力によって各線材の曲げ方向内側面が当接部材の曲面に強固に押し付けられているので、各線材が厚み方向に膨らむように変形しようとしても、当接部材の曲面との摩擦により、その変形が阻止される。更に、積層線材の互いに隣り合う線材同士においては前記膨らみ方向は逆方向になるので、膨らもうとする力同士で打ち消し合い、これによっても、各線材の厚み方向への膨らみが規制される。
【００１４】
このように、曲げ部材によって積層線材の曲げ量が進行しているとき、圧接部材によって当接部材の曲面と前記積層線材の曲げ方向内側面との間に摩擦力を発生させた状態が維持されるので、積層線材の曲げ部における厚み方向の膨らみを確実に抑えることができ、しかも、一回の挙動で積層線材を構成する各線材に曲げ加工を施すことができる。
【００１５】
そして更に、本発明の装置によれば、圧接部材により付与される押圧力の方向は、積層線材を構成する各線材の幅方向であるので、圧接部材を曲げ方向に荷重を付与する曲げ部材に連動させる構成を簡単に得ることができるという利点もある。
【００１６】
また、本発明の装置においては、前記当接部材を、前記曲面と前記積層線材の曲げ方向内側面との間の摩擦力が大となる材料により形成することで、上記膨らみを確実に防止することができる。しかも、前記摩擦力を十分に発生させながら、前記圧接部材による押圧力を比較的小さくすることができ、圧接部材の移動が円滑に行われると共に前記積層線材の負担も軽減することができる。なお、摩擦力が大となる材料としては、適宜選択することができるが、例えば、硬質の合成樹脂や鉱物等を挙げることができる。
【００１７】
また、本発明の装置においては、前記当接部材の前記曲面に粗面加工を施しておくことにより、該曲面と前記積層線材の曲げ方向内側面との間の摩擦力を大とすることができ、上記膨らみを確実に防止することができる。更に、十分な前記摩擦力を発生させて、前記圧接部材による押圧力も比較的小さくすることができるので、圧接部材の移動が円滑に行われると共に前記積層線材の負担も軽減することができる。また、曲面に粗面加工を施せばよいので、当接部材が金属、合成樹脂、鉱物等の何れの材料であっても、前記曲面の摩擦力を大とすることができる。なお、前記曲面への粗面加工としては、周知の方法を適宜採用することができるが、例えば、砥粒が比較的大きな石砥による研磨や、ショットブラスト等による加工を挙げることができる。
【００１８】
また、本発明の装置において、前記曲げ部材は、前記積層線材の曲げ方向外側面に当接する当接面と、該積層線材の積層方向両側面に当接して前記積層線材の積層方向への移動を規制する一対の規制壁とを備えることが好ましい。これによれば、一対の規制壁による規制により、前記積層線材を構成する各線材の積層状態を確実に維持して、積層線材への曲げ加工を確実に精度良く行うことができる。
【００１９】
また、本発明は、帯状の線材をその幅方向に曲げる線材の曲げ加工方法であって、複数の前記線材が厚み方向に積層された積層線材の曲げ方向内側面に、当接部材に形成された曲げ方向に沿った曲面を当接させると共に、積層線材の曲げ方向外側面に各線材の幅方向に押圧力を付与する圧接部材を圧接させる圧接工程と、該圧接工程の後に、前記当接部材から離間した位置で前記積層線材の曲げ方向外側に曲げ部材を当接して前記曲面の曲率中心軸線回りに移動させることにより、前記積層線材を前記曲面に沿って曲げる曲げ部材移動工程と、該曲げ部材移動工程により前記積層線材の曲げ量が進行するとき、前記曲げ部材の移動に連動して前記当接部材に向かって前記積層線材の各線材の幅方向に押圧力を付与しながら圧接部材を移動させることにより、前記当接部材の曲面と前記積層線材の曲げ方向内側面との間に摩擦力を発生させた状態を維持させる圧接部材移動工程とを備えることを特徴とする。
【００２０】
本発明の方法によって積層線材の曲げ加工を行うときには、先ず、前記圧接工程によって、当接部材の曲面に曲げ方向内側面が当接された積層線材の曲げ方向外側面に圧接部材を当接し、積層線材の各線材の幅方向に押圧力を付与する。これにより、積層線材は各線材の幅方向の両側から挟持された状態になる。
【００２１】
次いで、前記曲げ部材移動工程によって、当接部材から離間した位置で積層線材の曲げ方向外側に当接した曲げ部材を移動させ、積層線材に曲げ荷重を付与することにより積層線材を前記曲面に沿って曲げる。
【００２２】
前記曲げ部材移動工程においては、曲げ部材の移動に伴い積層線材の曲げ量が前記曲面に沿って次第に増加する。このとき、前記圧接部材移動工程によって、前記圧接部材を移動させる。圧接部材は、前記圧接工程によって積層線材に押圧力を付与しており、この状態を維持して移動する。これによって、前記当接部材の曲面と前記積層線材の曲げ方向内側面との間に摩擦力を発生させた状態が維持される。
【００２３】
この摩擦力は、前述した通り、前記曲面に接した積層線材の曲げ方向内側面の厚み方向への膨らみ変形に対抗する力となって積層線材の曲げ方向内側面に作用する。そして、この摩擦力によって、各線材の曲げ方向の内側が厚み方向に膨らむ変形を阻止することができる。
【００２４】
このように、前記曲げ部材移動工程を行うときに前記圧接部材移動工程が行われるので、曲げ部材によって積層線材の曲げ量が進行しているとき、圧接部材によって当接部材の曲面と前記積層線材の曲げ方向内側面との間に摩擦力を発生させた状態が維持される。従って、積層線材の曲げ部における厚み方向の膨らみを確実に抑えて前記曲げ部材移動工程を行うことができ、しかも、一回の挙動で積層線材を構成する各線材に曲げ加工を施すことができる。
【図面の簡単な説明】
【００２５】
【図１】本発明の実施形態の曲げ加工装置を示す説明的側面図。
【図２】本発明の実施形態の曲げ加工装置の曲げ加工動作完了時を示す説明的側面図。
【図３】図１の曲げ加工装置の要部の作動を示す説明図。
【図４】曲げローラを示す説明図。
【図５】積層線材を示す説明図。
【図６】本実施形態の曲げ加工装置の要部の作動を模式的に示す説明図。
【発明を実施するための形態】
【００２６】
本発明の一実施形態を図面に基づいて説明する。図１及び図２に示すように、本実施形態の曲げ加工装置１は、後述するモータ部品である電機子Ｍ２のインシュレータＭ１（図５参照）から水平方向に延出する複数の線材（積層線材Ｗ）を、その厚み方向に積層した状態を維持して幅方向（積層方向に交差する方向）に曲げるものであり、インシュレータＭ１の少なくとも一部を載置するワーク台座部２と、インシュレータＭ１から延出する積層線材ＷをインシュレータＭ１の近傍で曲げる曲げ機構部３とを備えている。ワーク台座部２と曲げ機構部３とは機台４上に設けられている。
【００２７】
ワーク台座部２には、インシュレータＭ１を位置決めする位置決めピン５が設けられていると共に、ブロック支持部材６を介して、硬質の合成樹脂により形成された当接ブロック７（当接部材）が支持されている。
【００２８】
当接ブロック７は、図３に示すように、水平方向に延びる第１平坦面８と、第１平坦面８に連続して下方向に湾曲する成形曲面９（曲面）と、成形曲面９に連続して下方に延びる第２平坦面１０とを備えている。
【００２９】
曲げ機構部３は、図１及び図２に示すように、フレーム１１と、可動部材１２とを備えている。フレーム１１は、機台４に固設されたベース部１３に昇降自在に支持されている。ベース部１３には、鉛直方向に延びる長穴状の上下案内スリット１４が形成されている。上下案内スリット１４は、先端がフレーム１１に螺着されて水平方向に延びるボルト１５を上下方向に案内し、これによって、フレーム１１を昇降可能としている。そして、このボルト１５を締め付けることにより、ボルト１５の頭部がベース部１３に圧接してフレーム１１を所望の高さに固定することができるようになっている。
【００３０】
また、フレーム１１は、図１及び図２に示すように、湾曲する長穴状の円弧案内スリット１６を備えている。円弧案内スリット１６は、図３に示すように、当接ブロック７に形成された成形曲面９の曲率中心軸ｘを中心点とする円弧形状に形成されている。
【００３１】
前記可動部材１２は、図１乃至図３に示すように、フレーム１１に移動自在に支持されたローラ支持部１７と、該ローラ支持部１７に連設されてフレーム１１の外側に向かって延びる操作レバー１８とを備えている。ローラ支持部１７には、図３に示すように、曲げローラ１９（曲げ部材）と、圧接ローラ２０（圧接部材）とが何れも回転自在に設けられている。
【００３２】
更に、ローラ支持部１７には、前記成形曲面９の曲率中心軸ｘと曲げローラ１９の回転中心軸とを結ぶ線の延長線上に第１のピン２１が設けられており、前記成形曲面９の曲率中心軸ｘと圧接ローラ２０の回転中心軸とを結ぶ線の延長線上に第２のピン２２が設けられている。
【００３３】
また、図１及び図２に示すように、第２のピン２２は、収縮方向に付勢力を有する引きバネ２３を介してフレーム１１に接続されている。引きバネ２３は、その付勢力により、圧接ローラ２０が当接ブロック７の第１平坦面８の直上に対向するように、第２のピン２２を介してローラ支持部１７の位置を保持させる。なお、引きバネ２３の付勢力は、操作レバー１８の操作を阻害しない強さに設定されている。
【００３４】
第１のピン２１と第２のピン２２とは、共に円弧案内スリット１６に摺動自在に挿通されており、円弧案内スリット１６が第１のピン２１と第２のピン２２とを案内することにより、可動部材１２が円弧状に移動する。即ち、図３に示すように、第１のピン２１と第２のピン２２とは、円弧案内スリット１６により第１の円弧軌道ａに沿って移動し、これに伴って、曲げローラ１９は第２の円弧軌道ｂに沿って移動し、更に、圧接ローラ２０は第３の円弧軌道ｃに沿って移動する。従って、図１に示すように直立状態の操作レバー１８を、図２に示すように水平方向に倒す操作を行うことにより、曲げローラ１９と圧接ローラ２０（圧接部材）とが前記成形曲面９に沿って移動し、その際に、後述の積層線材Ｗが成形曲面９に沿って曲げられる。
【００３５】
また、曲げローラ１９は、図４に示すように、積層線材Ｗの曲げ方向外側面に当接する当接面２４と、該積層線材Ｗの積層方向両側面に当接して前記積層線材の積層方向への移動を規制する一対の規制壁２５とを備えている。
【００３６】
ここで、本実施形態において曲げ加工を施す積層線材Ｗについて説明する。積層線材Ｗは、図５に示すように、インシュレータＭ１から水平方向に延出されている。インシュレータＭ１は、図示しないモータの電機子Ｍ２の外周に装着されており、電機子Ｍ２を構成する複数のコイルＭ３から引き出されたエナメル銅線ｓ（線材）を巻回保持している。各エナメル銅線ｓは、インシュレータＭ１の外周の一部で積層状態にまとめられて引き出された状態とされている。このようにインシュレータＭ１の外周から延出する複数のエナメル銅線ｓにより、積層線材Ｗが構成されている。個々のエナメル銅線ｓは、帯状の線材であり、その断面形状が長方形に形成されている。積層線材Ｗは、各エナメル銅線ｓの幅面（断面形状の長辺側）同士を密着させて厚み方向に積層されている。
【００３７】
本実施形態の曲げ加工装置１は、複数のエナメル銅線ｓを積層線材Ｗとして、この積層線材Ｗを、各エナメル銅線ｓの幅方向に曲げることにより、複数のエナメル銅線ｓへの曲げ加工を一挙動で行うものである。
【００３８】
曲げ加工装置１による積層線材Ｗの曲げ加工は次のようにして行われる。図１を参照して、先ず、フレーム１１に螺着されているボルト１５を緩めてフレーム１１を上昇させることにより、圧接ローラ２０を当接ブロック７から離間させ、この位置でボルト１５を締め付けてフレーム１１を固定する。
【００３９】
次いで、ワーク台座部２にインシュレータＭ１をセットし位置決めピン５により位置決めして、インシュレータＭ１から水平方向に延出されている積層線材Ｗの下側面（曲げ方向内側面）を当接ブロック７の第１平坦面８に当接させる。
【００４０】
続いて、フレーム１１に螺着されているボルト１５を緩めてフレーム１１を下降させ、これによって、曲げローラ１９及び圧接ローラ２０を積層線材Ｗの上側面（曲げ方向外側面）に当接させる。そして、圧接ローラ２０を下方に押圧して積層線材Ｗの上側面に圧接させ、この状態でボルト１５を締め付けてフレーム１１を固定する。これにより、積層線材Ｗが圧接ローラ２０と当接ブロック７との間に挟み込まれ、図６に示すように、積層線材Ｗが圧接ローラ２０からの押圧力をもって当接ブロック７に圧接された状態となる（圧接工程）。この間、操作レバー１８は、引きバネ２３により直立状態が維持される。
【００４１】
また、積層線材Ｗの上側面に圧接ローラ２０が当接すると同時に、図４に示すように、曲げローラ１９の一対の規制壁２５の間に積層線材Ｗが入り込んだ状態となる。これにより、積層線材Ｗを構成している各エナメル銅線ｓ同士が離間することがなく、積層線材Ｗの積層状態が維持される。
【００４２】
次いで、操作レバー１８を引きバネ２３に抗して水平方向に倒すことにより、曲げローラ１９を介して積層線材Ｗには、各エナメル銅線ｓの幅方向に荷重が付与される。これにより、曲げローラ１９は、図３に示すように、積層線材Ｗに曲げ荷重を付与しつつ第２の円弧軌道ｂ（当接ブロック７の成形曲面９の曲率中心軸線回り）を移動し（曲げ部材移動工程）、積層線材Ｗは、当接ブロック７の成形曲面９に沿って曲げ量が増加されていく。
【００４３】
一方、圧接ローラ２０は、曲げローラ１９と共にローラ支持部１７に支持されていることにより、曲げローラ１９に連動して移動する。即ち、圧接ローラ２０は、図３に示すように、積層線材Ｗへの押圧力を維持しつつ、第３の円弧軌道ｃ（第２の円弧軌道ｂより内側における当接ブロック７の成形曲面９の曲率中心軸線回り）を移動する（圧接部材移動工程）。
【００４４】
これにより、圧接ローラ２０は、積層線材Ｗに対する曲げ荷重が最も大きくなる位置に沿って積層線材Ｗに圧接しながら曲げの進行に追従して移動する。
【００４５】
このとき、積層線材Ｗの各エナメル銅線ｓの曲げ方向内側面は、厚み方向に膨らむように変形しようとする。しかし、圧接ローラ２０によって積層線材Ｗが当接ブロック７の成形曲面９に押圧されていることにより、図６に示すように、積層線材Ｗの下面と当接ブロック７の成形曲面９との間に、図中矢印で示す摩擦力Ｆが発生し、積層線材Ｗの各エナメル銅線ｓにおける厚み方向に膨らむような変形が阻止される。しかも、圧接ローラ２０によって積層線材Ｗが当接ブロック７の成形曲面９に押圧されていることにより、積層線材Ｗの各エナメル銅線ｓ同士の密着状態が維持され、互いに隣り合うエナメル銅線ｓは、互いに膨らみ変形を阻止しつつ摩擦力を打ち消し合う関係にあるので、積層線材Ｗの最も外側にあるエナメル銅線ｓの厚み方向の変位が十分な摩擦力Ｆにより規制される。
【００４６】
そして、図２に示すように、操作レバー１８が最下位置まで倒されて、積層線材Ｗが、当接ブロック７の第２平坦面１０に密着して曲げ加工が完了するまでの間、圧接ローラ２０によって、積層線材Ｗと当接ブロック７との間で摩擦力を発生させた状態が維持されるので、積層線材の曲げ部における厚み方向の膨らみを確実に抑えることができる。
【００４７】
なお、本実施形態においては、積層線材Ｗのスプリングバックを考慮して、図３に示すように、当接ブロック７の第１平坦面８に対する第２平坦面１０の角度が９０°よりも２〜４°小さく設定されている。これにより、図２に示すように、曲げ加工が完了時点での積層線材Ｗの曲げ角度が９０°よりも大きく曲げられるが、積層線材Ｗから曲げローラ１９を離間させると、積層線材Ｗのスプリングバックにより曲げ角度が９０°となる。
【００４８】
また、本実施形態においては、当接ブロック７の材料として硬質の合成樹脂を採用した。当接ブロック７は金属や鉱物等の他の硬質材料により形成してもよいが、合成樹脂を採用することにより、積層線材Ｗと当接ブロック７との間の摩擦力が容易に発生する。これにより、前記圧接ローラ２０による押圧力を比較的小さくすることができ、圧接ローラ２０の移動が円滑に行われると共に積層線材Ｗの負担も軽減することができる。また、圧接ローラ２０が、合成樹脂や他の硬質材料により形成されていても、当接ブロック７の第１平坦面８、成形曲面９、及び第２平坦面１０にショットブラスト等による粗面加工を施すことで、積層線材Ｗと当接ブロック７との間の摩擦力を向上させることができる。
【００４９】
また、本発明における曲げ部材及び圧接部材として、本実施形態においては、曲げローラ１９及び圧接ローラ２０を採用した。これによれば、積層線材Ｗの曲げ加工時に、積層線材Ｗに接した状態で曲げローラ１９及び圧接ローラ２０が回転し、積層線材Ｗの傷付き等の損傷を確実に防止できる。しかし、本発明における曲げ部材及び圧接部材は、曲げローラ１９及び圧接ローラ２０に限るものではなく、例えば、積層線材Ｗへの当接面として円弧状の平滑面を有する部材を採用することも可能である。
【００５０】
また、本実施形態においては、モータ部品である電機子Ｍ２のインシュレータＭ１から延出する各エナメル銅線ｓを積層させた状態で曲げる例を挙げた。本実施形態の曲げ加工装置１は、インシュレータＭ１を位置決め保持するワーク台座部２に当接ブロック７を連設し、曲げ機構部３により当接ブロック７に沿って積層線材Ｗをその幅方向に曲げる構成としたので、インシュレータＭ１の直近から下方に容易に積層線材Ｗを曲げることができる。これにより、インシュレータＭ１の外側への積層線材Ｗの張り出しを極めて小として、電機子Ｍ２の給電用の配線部を形成することができて有利である。
【００５１】
なお、本発明の曲げ加工装置は、インシュレータＭ１から延出する各エナメル銅線ｓによる積層線材Ｗの曲げ加工に限るものではない。即ち、帯状に形成された他の線材であっても、積層状態を維持して、しかも曲げ方向内側の厚み方向の膨らみ変形を抑えて幅方向に容易に曲げることができるものである。
【符号の説明】
【００５２】
Ｗ…積層線材、ｓ…エナメル銅線（線材）、１…曲げ加工装置、９…成形曲面（曲面）、７…当接ブロック（当接部材）、１９…曲げローラ（曲げ部材）、２０…圧接ローラ（圧接部材）、２４…当接面、２５…規制壁。
【図１】
0005465146.tif 000002
【図２】
0005465146.tif 000003
【図３】
0005465146.tif 000004
【図４】
0005465146.tif 000005
【図５】
0005465146.tif 000006
【図６】
0005465146.tif 000007